(57)【要約】【課題】  炭素含有灰にクリストバライトが含まれないようにする。【解決手段】  籾殻処理装置は、籾殻１を粉砕処理する粉砕装置２と、粉砕装置２で生成される籾殻粉砕物１ａを部分燃焼すると共に熱分解するバーナ３と、バーナ３の燃焼室の出口に接続した冷却装置４と、灰回収装置５とを備えた構成とする。籾殻１は、予め籾殻粉砕物１ａとしてからバーナ３へ供給することにより、熱分解に要する時間を短縮させる。バーナ３で生成して燃焼ガス６により搬送される炭素含有灰７は、冷却装置４で速やかに８００℃以下まで温度低下させる。これにより、籾殻１に含まれる二酸化ケイ素が高温の燃焼場に曝される時間を短くして、二酸化ケイ素のクリストバライトへの結晶化を抑制する。冷却装置４を通過した燃焼ガス６と炭素含有灰７は、灰回収装置５にて集塵処理して燃焼ガス６から炭素含有灰７を分離して回収する。【選択図】図１
2018039861.tif 000002
【特許請求の範囲】
【請求項１】
籾殻を粉砕処理する粉砕装置と、
前記粉砕装置で生成する籾殻粉砕物を部分燃焼させると共に熱分解処理するバーナと、
前記バーナの出口に接続されて、該出口より排出される燃焼ガス、および、未燃の固定炭素を含んだ炭素含有灰を冷却する冷却装置と、
前記炭素含有灰を前記燃焼ガスより分離して回収する灰回収装置と、を備えること
を特徴とする籾殻処理装置。
【請求項２】
前記冷却装置は、前記バーナの出口より排出される前記燃焼ガスおよび前記炭素含有灰を８００℃以下に冷却する機能を備える
請求項１記載の籾殻処理装置。
【請求項３】
前記粉砕装置は、平均粒径が１００μｍ〜１５００μｍとなる前記籾殻粉砕物を生成する機能を備える
請求項１または２記載の籾殻処理装置。
【請求項４】
籾殻を粉砕装置で粉砕処理して籾殻粉砕物を生成する工程と、
前記籾殻粉砕物を部分燃焼させると共に熱分解処理して燃焼ガスと、未燃の固定炭素を含んだ炭素含有灰とを生成する工程と、
前記燃焼ガスおよび炭素含有灰を冷却装置で冷却する工程と、
前記炭素含有灰を前記燃焼ガスより分離して回収する工程と、を行うこと
を特徴とする籾殻処理方法。
【発明の詳細な説明】
【技術分野】
【０００１】
本発明は、籾殻を原料として燻炭などとして使用可能な炭素含有灰を製造する処理を行う籾殻処理装置および籾殻処理方法に関するものである。
【背景技術】
【０００２】
籾殻は、腐りにくいという特性を有している。そのため、籾殻は、堆肥などとして土壌に還元することが難しいことから、多くは焼却処理されている。
【０００３】
籾殻の有効利用を図るための手法の１つとしては、籾殻を炭化処理することにより燻炭を製造し、この燻炭を土壌改良剤などとして利用することが行われている。
【０００４】
この種の燻炭を製造する装置としては、たとえば、円筒状の炉本体と、炉本体の一端側に設けられた籾殻供給部および着火バーナと、炉本体の他端側に設けられた燃焼排ガスの排気部と、炉本体の内周壁に設けられて、炉本体内に空気の旋回流を形成する複数の空気穴と、炉本体の下部に設けられた炭化物コンベヤとを備えた構成の籾殻炭化装置が従来提案されている（たとえば、特許文献１参照）。
【０００５】
この籾殻炭化装置によれば、籾殻は、籾殻供給部より炉本体の一端側に供給して、着火バーナにより着火させ、各空気穴より吹き込まれる空気によって炉本体内に形成される旋回流中で燃焼させて炭化させる。この燃焼により生成した燻炭は、自重により炉本体の下部へ落下させて、炭化物コンベヤによって回収するようにしている。
【先行技術文献】
【特許文献】
【０００６】
【特許文献１】特開２０１１−８４６２９号公報
【発明の概要】
【発明が解決しようとする課題】
【０００７】
ところで、籾殻は、反応性の高い二酸化ケイ素（ＳｉＯ２）を含んでおり、この二酸化ケイ素が籾殻の燃焼時に８００℃を超えるような高温の燃焼場に曝される時間が長くなると、二酸化ケイ素のクリストバライトへの結晶化が進行する。
【０００８】
クリストバライトは、発がん性が示唆されている物質である。そのため、籾殻を燃焼させて処理する際には、クリストバライトの生成はできるだけ抑制することが望まれる。
【０００９】
しかし、籾殻は粒径が数ミリメートル程度あり、特許文献１に示された装置は、炉本体内に籾殻をそのまま供給して燃焼させるようにしてある。そのため、特許文献１に示された装置は、籾殻を着火させるための安定した着火源として、火炎が形成される１０００℃程度の高温場が必要とされる。また、籾殻が着火してから籾殻全体が炭化するまでに時間を要する。しかも、炉本体内で移動しながら燃焼して炭化した籾殻のくん炭は、炉本体内の底部に落下して炭化物コンベヤで受けられるが、くん炭が該炭化物コンベヤで炉本体の外部まで搬送される間は、炉本体内の高温の燃焼場の熱に長く曝されることになる。更に、くん炭は、籾殻がそのまま炭化された粒径を備えているため、炉本体から取り出されたくん炭が１０００℃程度から８００℃以下までに温度低下するのに時間を要する。そのため、特許文献１に示された装置では、籾殻中に含まれている二酸化ケイ素からクリストバライトが生成されやすくなる。
【００１０】
そこで、本発明は、籾殻を原料として未燃の炭素を含有した炭素含有灰を製造することができると共に、籾殻に含まれる二酸化ケイ素が高温の燃焼場に曝される時間の短縮化を図ることができて、クリストバライトの生成の防止化を図ることができる籾殻処理装置および籾殻処理方法を提供しようとするものである。
【課題を解決するための手段】
【００１１】
本発明は、前記課題を解決するために、籾殻を粉砕処理する粉砕装置と、前記粉砕装置で生成する籾殻粉砕物を部分燃焼させると共に熱分解処理するバーナと、前記バーナの出口に接続されて、該出口より排出される燃焼ガス、および、未燃の固定炭素を含んだ炭素含有灰を冷却する冷却装置と、前記炭素含有灰を前記燃焼ガスより分離して回収する灰回収装置と、を備える構成を有する籾殻処理装置とする。
【００１２】
前記冷却装置は、前記バーナの出口より排出される前記燃焼ガスおよび前記炭素含有灰を８００℃以下に冷却する機能を備える構成としてある。
【００１３】
前記粉砕装置は、平均粒径が１００μｍ〜１５００μｍとなる前記籾殻粉砕物を生成する機能を備える構成としてある。
【００１４】
また、籾殻を粉砕装置で粉砕処理して籾殻粉砕物を生成する工程と、前記籾殻粉砕物を部分燃焼させると共に熱分解処理して燃焼ガスと、未燃の固定炭素を含んだ炭素含有灰とを生成する工程と、前記燃焼ガスおよび炭素含有灰を冷却装置で冷却する工程と、前記炭素含有灰を前記燃焼ガスより分離して回収する工程と、を行う籾殻処理方法とする。
【発明の効果】
【００１５】
本発明の籾殻処理装置および籾殻処理方法によれば、籾殻を原料として未燃の炭素を含有した炭素含有灰を製造することができると共に、籾殻に含まれる二酸化ケイ素が高温の燃焼場に曝される時間の短縮化を図ることができて、クリストバライトの生成の防止化を図ることができる。
【図面の簡単な説明】
【００１６】
【図１】籾殻処理装置の第１実施形態を示す図である。
【図２】籾殻処理装置におけるバーナと灰冷却装置と灰回収装置の構成例を示す図である。
【図３】籾殻処理装置の第２実施形態として、バーナと灰冷却装置の別の構成例を示す図である。
【発明を実施するための形態】
【００１７】
以下、本発明の籾殻処理装置および籾殻処理方法について、図面を参照して説明する。
【００１８】
［第１実施形態］
図１は籾殻処理装置の第１実施形態を示す概要図である。図２は籾殻処理装置におけるバーナと灰冷却装置と灰回収装置の構成の一例を示す概略切断側面図である。
【００１９】
本実施形態の籾殻処理装置は、図１に示すように、籾殻１が供給される粉砕装置２と、バーナ３と、冷却装置４と、灰回収装置５とを備えた構成とされている。粉砕装置２は、籾殻１を粉砕処理して籾殻粉砕物１ａを生成する機能を備えるものである。バーナ３は、籾殻粉砕物１ａを部分燃焼させて、燃焼ガス６と、未燃の固定炭素を含む炭素含有灰７とを生成する機能を備えるものである。冷却装置４は、バーナ３で生成された炭素含有灰７を、速やかに８００℃以下の温度まで冷却する機能を備えるものである。灰回収装置５は、冷却装置４で冷却処理された後の炭素含有灰７を、燃焼ガス６より分離して回収する機能を備えるものである。
【００２０】
粉砕装置２は、籾殻１が供給されると、籾殻１を粉砕処理して籾殻粉砕物１ａを生成する。この際、籾殻粉砕物１ａは、平均粒径が１００μｍ〜１５００μｍであることが好ましく、平均粒径が２００μｍ〜１０００μｍであることがより好ましく、平均粒径が３５０μｍ〜６００μｍであることが更に好ましい。
【００２１】
このような平均粒径が好ましい理由は、籾殻粉砕物１ａの燃焼をバーナ３で行うときに、バーナ３の燃焼室８に付着物が発生することを抑制すること、籾殻粉砕物１ａより生成させる炭素含有灰７の収量の増加を図ること、および、籾殻粉砕物１ａの生産性を高めて生成時のコストの低減を図ることを目的としている。
【００２２】
すなわち、籾殻粉砕物１ａの平均粒径が１００μｍ未満の場合は、籾殻粉砕物１ａがバーナ３に供給されて燃焼されるときに、着火した後、粒子全体の燃焼が急速に進行する小粒径の粒子の割合が多いものとなる。
【００２３】
そのため、バーナ３の燃焼室８では、小粒径の籾殻粉砕物１ａの燃焼が過度に進行しやすくなり、籾殻１に含まれるカリウムなどの低融点物質が溶融して、燃焼室８の内面にクリンカ状の付着物として付着しやすくなる。このようにして燃焼室８に生じた付着物は、燃焼室８に留まって籾殻粉砕物１ａの高温の燃焼場に曝される時間が長くなるため、この付着物においてクリストバライトの生成が進行する虞が生じてしまう。
【００２４】
更に、籾殻粉砕物１ａにて、前記したように粒子全体の燃焼が急速に進行する小粒径の粒子の割合が多いということは、バーナ３の燃焼室８で燃え尽きてしまう粒子の割合が多いことになるので、燃焼室８の出口９より排出される固形分では、残留する未燃の固定炭素の量が少なくなることにつながる。また、籾殻粉砕物１ａは、平均粒径を小さくすればするほど、生成に要する工程と時間が増加し、籾殻粉砕物１ａの生成コストの上昇を招くことになる。
【００２５】
したがって、籾殻粉砕物１ａは、平均粒径が１００μｍ未満であることは好ましくない。
【００２６】
一方、籾殻粉砕物１ａは、平均粒径が１５００μｍを超えることが好ましくないのは、以下の理由による。
【００２７】
後述するように、バーナ３の燃焼室８では、籾殻粉砕物１ａの部分燃焼の燃焼熱を用いて、籾殻粉砕物１ａは可燃性ガスと、固定炭素および灰分を含む固形分とに熱分解される。このとき、籾殻粉砕物１ａの平均粒径が１５００μｍを超えている場合は、前記熱分解に時間を要する大粒径の粒子の割合が多いものとなる。そのため、この場合は、籾殻粉砕物１ａにおいて、粒子全体の熱分解が十分に進行しないうちに燃焼室８を通過して冷却装置４に到達する粒子が多くなり、この熱分解が不十分な籾殻粉砕物１ａが、灰回収装置５で回収される炭素含有灰７に残るようになるため、有効な炭素含有灰７の収量の減少につながってしまう。
【００２８】
また、本実施形態では、炭素含有灰７は、冷却装置４で堆積せずに、燃焼ガス６の流れに乗って灰回収装置５まで移動することが望まれるため、籾殻粉砕物１ａから生成する炭素含有灰７は、燃焼ガス６の流れの中に浮遊できるような粒径および見かけ比重であることが望まれる。この点からも、籾殻粉砕物１ａは、平均粒径が１５００μｍを超えることは好ましくない。
【００２９】
なお、粉砕装置２は、籾殻１を粉砕して前記所定の平均粒径の籾殻粉砕物１ａを生成することができるようにしてあれば、粉砕機構として、既存の各種ミルに採用されているような任意の粉砕機構を備えるものを採用してよいことは勿論である。更に、粉砕装置２は、粉砕機構に加えて、籾殻粉砕物１ａの分級手段を備えるようにしてもよいことは勿論である。
【００３０】
粉砕装置２で生成した籾殻粉砕物１ａは、バーナ３へ直接供給するようにしてもよいが、図１に示すように、粉砕装置２の下流側に備えた籾殻粉砕物貯留部１０に一旦貯留し、籾殻粉砕物貯留部１０からバーナ３へ籾殻粉砕物１ａを供給する構成としてもよい。この籾殻粉砕物貯留部１０を備えた構成によれば、粉砕装置２による籾殻粉砕物１ａの生成量の変化に関わらず、たとえば、粉砕装置２がバッチ処理形式ものであっても、バーナ３への籾殻粉砕物１ａの定量的な供給を行うことができる。
【００３１】
バーナ３は、たとえば、図２に示すように、内部に円筒状の燃焼室８を備えている。燃焼室８の軸心方向の一端側（図２では左端側）は端壁８ａで閉塞され、軸心方向の他端側（図２では右端側）は開放されて出口９とされている。
【００３２】
更に、バーナ３は、籾殻粉砕物１ａを燃焼室８に供給する供給管１１と、燃焼室８に空気１２を供給する空気供給管１３と、図示しない点火バーナなどの点火手段とを備えた構成とされている。
【００３３】
供給管１１の上流側には、籾殻粉砕物貯留部１０（図１参照）が搬送ライン１４を介して接続されている。搬送ライン１４では、籾殻粉砕物貯留部１０より切り出される籾殻粉砕物１ａを、空気等の搬送気体を用いて空気輸送するようにすればよい。なお、籾殻粉砕物貯留部１０を備えない構成の場合は、供給管１１の上流側に、粉砕装置２が搬送ライン１４を介して接続された構成とすればよい。
【００３４】
これにより、バーナ３の燃焼室８には、供給管１１から、籾殻粉砕物１ａが搬送気体と共に吹き込まれて供給される。
【００３５】
空気供給管１３は、燃焼室８の周壁における端壁８ａ寄り位置に、燃焼室８の内径と同様か、または、その内径よりも小さい円の接線方向に沿う配置で設けられていることが好ましい。更に、このように配置された空気供給管１３は、図示しないが、燃焼室８の周壁における周方向の複数個所に設けられた構成としてもよい。この構成によれば、空気供給管１３より燃焼室８内に空気１２を供給すると、燃焼室８内に空気１２による旋回流を形成することができる。この場合、供給管１１は、空気１２の旋回流の内側に籾殻粉砕物１ａを供給可能な配置とすることが好ましい。
【００３６】
空気供給管１３の上流側には、送風機１５が空気ライン１６を介して接続されている。空気ライン１６には、空気１２の供給量を調整する流量調整弁１７が設けられている。
【００３７】
空気供給管１３から燃焼室８への単位時間あたりの空気１２の供給量は、同じ単位時間で供給管１１より燃焼室８へ供給される籾殻粉砕物１ａに含まれる揮発分の燃焼に必要とされる酸素を含む空気量と同等か、それよりも多い空気量とするが、籾殻粉砕物１ａの粒度に応じて燃焼が維持され、且つ製造される炭素含有灰７の性状に合わせて適切に調整される。
【００３８】
これにより、バーナ３では、燃焼室８にて、供給管１１より供給される籾殻粉砕物１ａを、空気供給管１３より供給される空気１２と混合すると共に、前記点火手段で点火させることができる。
【００３９】
籾殻粉砕物１ａは、空気１２と混合された状態で点火されると、粒径の小さい粒子ほど速やかに燃焼し、その燃焼熱により、より大きな粒径の粒子では、揮発分が可燃性ガスとなり、それに伴って固定炭素および灰分を含む固形分が生成する熱分解が進行する。
【００４０】
このように可燃性ガスと固形分が生成すると、可燃性ガスが主に燃焼することで火炎が発生する。一方、この可燃性ガスの燃焼により空気１２の酸素が消費されるため、固形分中の固定炭素は、燃焼の進行が抑制される。また、火炎は、冷却装置４へ導入されると速やかに冷却されるため、籾殻粉砕物１ａの熱分解反応が進行する滞留時間が短く、このことによっても固定炭素の燃焼の進行が抑制される。
【００４１】
したがって、バーナ３の出口９からは、前記可燃性ガスが主に燃焼されることで生じた燃焼ガス６と、未燃の固定炭素を含む炭素含有灰７とが排出されるようになる。
【００４２】
なお、バーナ３は、定常運転時に、籾殻粉砕物１ａの熱分解により生じた固定炭素の燃焼室８内に留まる時間、すなわち、燃焼室８内で籾殻粉砕物１ａの燃焼部の熱に曝される時間が、長くとも数秒、より好ましくは１秒以下となるように、燃焼室８の容積や軸心方向の長さが設定されている。
【００４３】
本実施形態の冷却装置４は、バーナ３の出口９より排出される炭素含有灰７を、燃焼ガス６と一緒に受け入れて、冷却媒体としての水１８との熱交換により、燃焼ガス６ごと炭素含有灰７の温度を８００℃以下の温度まで冷却する煙管ボイラ型式の熱交換器としてある。
【００４４】
そのため、冷却装置４は、図２に示すように、水１８が貯留される缶体１９と、缶体１９内に配置された燃焼ガス導入部２０、複数の煙管２１、ガス集合部２２とを備えた構成とされている。なお、図２では、図示する便宜上、水１８にドットのハッチングが付してある。
【００４５】
缶体１９は、たとえば、上下に延びる円筒形状とされ、燃焼ガス導入部２０は缶体１９の下部に配置され、ガス集合部２２は缶体１９の上部に配置され、複数の煙管２１は、燃焼ガス導入部２０とガス集合部２２との間に配置された構成としてある。
【００４６】
燃焼ガス導入部２０は、天井壁部２０ａと底壁部２０ｂと側壁部２０ｃとを備えて、内部に空間部が形成された構成とされている。
【００４７】
燃焼ガス導入部２０は、缶体１９の内径寸法よりも小径で中空の円筒形状とされている。天井壁部２０ａは、側壁部２０ｃの外周面より外方へ張り出していて、天井壁部２０ａの外周面が缶体１９の側壁の内面と接続されている。天井壁部２０ａの張り出している外周縁部には、円周方向の複数個所に孔２０ｄが設けられており、孔２０ｄを通して天井壁部２０ａの上下方向に水１８が通過可能となっている。したがって、燃焼ガス導入部２０は、天井壁部２０ａと底壁部２０ｂと側壁部２０ｃの外面が水１８に接して冷却される構造となっている。
【００４８】
側壁部２０ｃの周方向の１個所と、その外周側に位置する缶体１９の側壁との間には、横向きの筒状部材２３が設けられている。缶体１９の中心寄りに位置する筒状部材２３の一端側（図２では右端側）は、側壁部２０ｃに、燃焼ガス導入部２０の内部空間と連通するように取り付けられている。筒状部材２３の他端側（図２では左端側）は、缶体１９の側壁に貫通するように取り付けられている。
【００４９】
筒状部材２３には、缶体１９の外側からバーナ３の出口９側が挿入して取り付けられている。これにより、冷却装置４は、バーナ３の出口９から排出される燃焼ガス６と炭素含有灰７を、燃焼ガス導入部２０に導入することができる。
【００５０】
複数の煙管２１は、燃焼ガス導入部２０とガス集合部２２との間に、上下方向に延びる姿勢で平行に配置されている。各煙管２１の下端側は、燃焼ガス導入部２０の内部空間と連通する状態で、天井壁部２０ａに取り付けられている。これにより、天井壁部２０ａが各煙管２１の下端側の管寄せとなり、燃焼ガス導入部２０内の燃焼ガス６とそれに搬送される炭素含有灰７は、各煙管２１内に分散して流入する。
【００５１】
ガス集合部２２は、天井壁部２２ａと底壁部２２ｂと側壁部２２ｃとを備えて、内部に空間部が形成された構成とされている。
【００５２】
ガス集合部２２は、缶体１９の内径寸法よりも小径の円筒形状とされている。ガス集合部２２の底壁部２２ｂは、側壁部２２ｃの外周面より外方へ張り出していて、底壁部２２ｂの外周面が缶体１９の側壁の内面と接続されている。底壁部２２ｂの張り出している外周縁部には、円周方向の複数個所に孔２２ｄが設けられており、孔２２ｄを通して底壁部２２ｂの上下方向に水１８が通過可能となっている。
【００５３】
各煙管２１の上端側は、ガス集合部２２の内部空間と連通する状態で、ガス集合部２２の底壁部２２ｂに取り付けられている。これにより、底壁部２２ｂが各煙管２１の上端側の管寄せとなり、各煙管２１内を流通した燃焼ガス６および炭素含有灰７は、その後、ガス集合部２２に入り集合する。
【００５４】
側壁部２２ｃの周方向の１個所には、その外周側で缶体１９の側壁に内外方向に貫通するように取り付けられたガス排出ダクト２４の一端側（図１では左端側）が、ガス集合部２２の内部空間と連通するように取り付けられている。これにより、ガス集合部２２に集合した燃焼ガス６および炭素含有灰７は、ガス集合部２２からガス排出ダクト２４を通して缶体１９の外部へ排出することができる。
【００５５】
ところで、冷却装置４では、燃焼ガス６および炭素含有灰７との熱交換により、缶体１９内の水１８が昇温する。このため、冷却装置４は、図示しないが、缶体１９と、外部の熱の需要先との間で水１８を循環させる循環ラインを備えて、缶体１９内の昇温した水１８の熱を、熱の需要先へ供給できるようにしてある。この熱の需要先としては、たとえば、農業用ハウスの暖房用熱源があるが、昇温した水１８の熱を利用する設備や機器であれば、暖房用熱源に限られるものではない。また、冷却装置４で昇温する水１８は、空冷式や水冷式の放熱器に循環供給して放熱させるようにしてもよい。
【００５６】
なお、冷却装置４は、燃焼ガス導入部２０の内部の温度を常時８００℃以下に冷却できるように、缶体１９内の水１８の容量、および、外部の熱の需要先への熱の供給量や放熱器での放熱量が設定されている。
【００５７】
ガス流通方向下流側となるガス排出ダクト２４の他端側（図１では右端側）には、灰回収装置５が接続されている。本実施形態では、灰回収装置５は、たとえば、サイクロン２５とされている。
【００５８】
サイクロン２５は、上部が円筒形状とされ、下部が下方へ向けて縮径する円錐筒形状とされた外筒２５ａと、外筒２５ａの上端側を閉塞する天井壁２５ｂと、天井壁２５ｂの中央部を貫通させて上方から外筒２５ａの中心部に同心状に挿入配置された内筒２５ｃとを備えた構成とされている。サイクロン２５の外筒２５ａの下端側には、炭素含有灰７を捕集する捕集ボックス２６が設けられている。これにより、ガス排出ダクト２４を通して排出される燃焼ガス６および炭素含有灰７は、灰回収装置５に導かれると、サイクロン２５内で燃焼ガス６中から固体粒子である炭素含有灰７が分離される。炭素含有灰７は、捕集ボックス２６に捕集されるので、捕集ボックス２６から回収することができる。燃焼ガス６は、図示しない処理部に送って適宜処理するようにすればよい。
【００５９】
灰回収装置５としてのサイクロン２５の外筒２５ａおよび天井壁２５ｂの外側には、外筒２５ａにおけるガス排出ダクト２４の接続部を除く領域に、ジャケット２７が設けられている。サイクロン２５の内筒２５ｃの外側と、捕集ボックス２６の外側には、それぞれジャケット２８とジャケット２９が設けられている。ジャケット２９は、ジャケット２７に直接連通する構成としてもよく、ジャケット２９とジャケット２７とを独立させ、図示しない循環ラインで連通させる構成としてもよい。図２では、ジャケット２９はジャケット２７に直接連通させた構成を示している。
【００６０】
また、ガス排出ダクト２４における缶体１９の外方へ突出している部分の外側には、ジャケット３０が設けられている。
【００６１】
ジャケット２９の底面部には、冷却用の水１８の入口２９ａが設けられている。ジャケット２７の上端側に設けられた出口２７ａは、ジャケット２８の入口２８ａに、接続ライン３１を介して接続されている。ジャケット２８の出口２８ｂは、ジャケット３０の入口３０ａに接続ライン３２を介して接続されている。ジャケット３０の出口３０ｂは、図示しない熱利用設備に接続されている。
【００６２】
なお、灰回収装置５は、燃焼ガス６中から炭素含有灰７を分離して回収することができる機能を備えていれば、バグフィルタや、その他の既存の集塵装置など、サイクロン以外の任意の形式の灰回収装置５を採用してもよいことは勿論である。
【００６３】
図２において、３３は缶体１９内への給水手段である。また、冷却装置４は、図示しないが、各部の温度変化に伴う寸法の変化を吸収して過大な応力集中が生じないようにするための手段を適宜備えている。
【００６４】
以上の構成としてある本実施形態の籾殻処理装置を使用して籾殻処理方法を実施する場合は、まず、籾殻１を粉砕装置２へ供給する。粉砕装置２では、籾殻１を粉砕処理して前記所定の平均粒径の籾殻粉砕物１ａとする。粉砕装置２で生成した籾殻粉砕物１ａは、籾殻粉砕物貯留部１０に一旦貯留する。
【００６５】
次に、籾殻粉砕物１ａは、搬送ライン１４を経て供給管１１からバーナ３の燃焼室８へ供給し、空気供給管１３から供給される空気１２により部分燃焼させるとともに、その燃焼熱を利用して籾殻粉砕物１ａを熱分解処理して、可燃性ガスと、固定炭素および灰分を含んだ固形分とに熱分解する。この熱分解により可燃性ガスと固形分が生成すると、主に可燃性ガスが燃焼して火炎が発生するため、その燃焼熱が順次供給される籾殻粉砕物１ａの熱分解処理用の熱源として利用される。よって、この可燃性ガスの燃焼による火炎を保炎できる場合は、バーナ３における点火手段を休止させるようにしてもよい。
【００６６】
一方、固形分は、固定炭素が未燃状態で残留した炭素含有灰７となる。この際、炭素含有灰７では、籾殻１に含まれる灰分のうち、カリウムなどの低融点物質が局部的に溶融して、固定炭素を包み込むようになる。
【００６７】
バーナ３にて主に可燃性ガスの燃焼により生じた燃焼ガス６と、炭素含有灰７は、燃焼室８の出口９から排出されると、直ちに冷却装置４の燃焼ガス導入部２０に導かれるため、速やかに８００℃以下の温度まで冷却される。これにより、炭素含有灰７では、灰分として含まれている二酸化ケイ素のクリストバライトへの結晶化が防止される。
【００６８】
前記のように燃焼ガス導入部２０で温度低下した炭素含有灰７は、同様に温度低下した燃焼ガス６の流れにより搬送されて、各煙管２１を通過してからガス集合部２２に導かれる。このとき、炭素含有灰７および燃焼ガス６は、各煙管２１とガス集合部２２の外側に存在している水１８と熱交換することで更に冷却される。
【００６９】
冷却装置４にて冷却された後、ガス排出ダクト２４を通して排出される燃焼ガス６と、この燃焼ガス６の流れにより搬送される炭素含有灰７は、その後、灰回収装置５であるサイクロン２５に導かれる。この際、燃焼ガス６と炭素含有灰７は、ガス排出ダクト２４を通過するとき、ジャケット３０内を流れる水１８と熱交換することで冷却される。
【００７０】
サイクロン２５では、炭素含有灰７を燃焼ガス６から分離する作用が行われる。燃焼ガス６中から分離された炭素含有灰７は、捕集ボックス２６に捕集される。この間、サイクロン２５内における燃焼ガス６と炭素含有灰７は、捕集ボックス２６の外側のジャケット２９から、サイクロン２５の外筒２５ａおよび天井壁２５ｂの外側のジャケット２７、サイクロン２５の内筒２５ｃの外側のジャケット２８を流れる水１８と熱交換することで更に冷却される。捕集ボックス２６に捕集されて堆積された炭素含有灰７は、捕集ボックス２６の外側のジャケット２９を流れる水１８と熱交換することで冷却されて回収される。
【００７１】
これにより、本実施形態の籾殻処理装置では、籾殻１を原料として、炭素含有灰７を製造することができる。
【００７２】
このように、本実施形態の籾殻処理装置および籾殻処理方法によれば、籾殻１を予め粉砕処理して籾殻１よりも粒径の小さい籾殻粉砕物１ａとしてからバーナ３で熱分解処理を行うようにしてあるので、籾殻粉砕物１ａの熱分解に要する時間を、籾殻１をそのまま炭化処理する場合に比して短縮することができる。
【００７３】
更に、バーナ３では、燃焼室８にクリンカ状の付着物が生じること防止すると共に、籾殻粉砕物１ａの熱分解処理によって生じる炭素含有灰７は、燃焼室８に留まる時間の短縮化を図ることができる。更に、炭素含有灰７は、燃焼室８の出口９から出た時点で、冷却装置４にて速やかに８００℃以下にすることができる。
【００７４】
したがって、本実施形態の籾殻処理装置および籾殻処理方法は、籾殻１に含まれる二酸化ケイ素について、燃焼室８における籾殻粉砕物１ａの燃焼部の熱に曝される時間の短縮化を図ることができるため、二酸化ケイ素の結晶化によるクリストバライトの生成の防止化を図ることができる。したがって、製造される炭素含有灰７は、クリストバライトを含まないものとすることができる。
【００７５】
この炭素含有灰７は、燻炭と同様に、土壌に混ぜることで土壌の保水性を高めたり、土壌中の菌を増やしたりするための土壌改良材として使用することができる。また、籾殻１から製造した炭素含有灰７を土壌に戻すことで、炭素を土壌中に固定化することができる。
【００７６】
更に、炭素含有灰７は、固定炭素が含まれた黒色の灰であるため、融雪剤としても利用することができる。
【００７７】
本実施形態の籾殻処理装置および籾殻処理方法では、籾殻１を所定の平均粒径の籾殻粉砕物１ａとしてから熱分解処理しているので、製造される炭素含有灰７は粒度が整ったものとすることができる。
【００７８】
また、本実施形態の籾殻処理装置および籾殻処理方法では、籾殻粉砕物１ａを部分燃焼させて炭素含有灰７を製造しているので、従来多く行われている籾殻を単に焼却処理する場合に比して、二酸化炭素排出量を低減することができる。
【００７９】
［第２実施形態］
図３は籾殻処理装置の第２実施形態として、バーナと冷却装置の別の構成例を示す概略切断側面図である。
【００８０】
なお、図３において、第１実施形態と同一のものには同一符号を付してその説明を省略する。
【００８１】
本実施形態の籾殻処理装置は、第１実施形態と同様の構成において、冷却装置４を煙管ボイラ型式の熱交換器とする構成に代えて、冷却ジャケット３４を有する形式の冷却装置４ａを備える構成としたものである。
【００８２】
冷却装置４ａは、一軸方向に延びる筒状として、軸心方向の一端側を入口３６とし、他端側を出口３７とした燃焼ガス導入部３５と、燃焼ガス導入部３５の外周に設けた冷却ジャケット３４とを備える構成とされている。
【００８３】
冷却装置４ａは、燃焼ガス導入部３５の内底部における炭素含有灰７の堆積防止を図るために、図３に示すように入口３６側よりも出口３７側の方が低くなるように傾斜させた姿勢とすることが好ましい。
【００８４】
バーナ３は、第１実施形態と同様の構成を備え、冷却装置４ａの傾斜に応じた傾斜姿勢で、出口９が燃焼ガス導入部３５の入口３６に接続されている。これにより、冷却装置４ａは、バーナ３の出口９から排出される燃焼ガス６と炭素含有灰７を、燃焼ガス導入部３５に導入することができる。
【００８５】
燃焼ガス導入部３５の出口３７には、第１実施形態と同様の灰回収装置５が接続されている。
【００８６】
冷却ジャケット３４には、冷却媒体として、たとえば水１８が満たされている。なお、図３では、図示する便宜上、水１８にドットのハッチングが付してある。
【００８７】
更に、冷却ジャケット３４には、図示しないが、外部の熱の需要先や放熱器との間で水１８を循環させる循環ラインが接続されている。これにより、本実施形態では、冷却ジャケット３４を通過する間に燃焼ガス導入部３５内の燃焼ガス６と炭素含有灰７の冷却に供されて昇温する水１８の熱を、外部の熱の需要先へ供給したり、放熱器で放熱させたりすることができるようにしてある。
【００８８】
なお、冷却ジャケット３４は、燃焼ガス導入部３５の内部の温度を常時８００℃以下に冷却できるように、水１８の容量、および、外部の熱の需要先への熱の供給量や放熱器での放熱量が設定されている。
【００８９】
以上の構成としてある本実施形態の籾殻処理装置は、第１実施形態と同様に使用して同様の効果を得ることができる。
【００９０】
なお、本発明の籾殻処理装置は、前記各実施形態にのみ限定されるものではなく、バーナ３と冷却装置４と灰回収装置５の形状や寸法と、それぞれの寸法比は、図示するための便宜上のものであり、実際の装置構成を反映したものではない。
【００９１】
図２、図３に示したバーナ３の燃焼室８の形状は一例であり、図示した以外の燃焼室形状としてもよい。また、籾殻粉砕物１ａの供給管１１の配置や、空気供給管１３の配置は、図示した以外の配置としてもよいことは勿論である。
【００９２】
バーナ３は、燃焼室８にて空気１２の気流中で籾殻粉砕物１ａの部分燃焼と熱分解処理とを行うことができるようにしてあれば、燃焼室８内に形成させる空気１２の気流は旋回流に限られない。
【００９３】
冷却装置４，４ａは、燃焼ガス６および炭素含有灰７を、冷却媒体としての水１８と間接的に熱交換させる形式のものを例示したが、水１８以外の流体を冷却媒体として用いる形式のものとしてもよい。また、燃焼ガス６や炭素含有灰７の温度を速やかに８００℃以下に温度低下させることができるようにしてあれば、たとえば、冷却媒体と燃焼ガス６や炭素含有灰７を直接接触させる形式の冷却装置を採用してもよい。
【００９４】
また、冷却装置４，４ａは、燃焼ガス導入部２０，３５における炭素含有灰７の落下物の堆積を防ぐために、燃焼ガス導入部２０，３５の内底部に向けて、たとえば、温度低下させた燃焼ガスのような不活性ガスを吹き込む手段を備えるようにしてもよい。あるいは、燃焼ガス導入部２０，３５に堆積した炭素含有灰７の回収手段を備えるようにしてもよい。
【００９５】
その他、本発明の要旨を逸脱しない範囲内で種々変更を加え得ることは勿論である。
【符号の説明】
【００９６】
１  籾殻
１ａ  籾殻粉砕物
２  粉砕装置
３  バーナ
４，４ａ  冷却装置
５  灰回収装置
６  燃焼ガス
７  炭素含有灰
９  出口
【図１】
2018039861.tif 000003
【図２】
2018039861.tif 000004
【図３】
2018039861.tif 000005